(57)【要約】【課題】断熱材を施工した下床上に形成する二重床において、作業性を改善し、さらに、断熱効果が低減しないようにする。【解決手段】断熱材を表面に施工した下床上に、板状本体の下面に３本以上の柱状の脚部を突設した受台を、その脚部が断熱材を差し貫き、板状本体の表面が前記断熱材の表面に露出するように設置する。受台の板状本体の上に床支持具を載置し、その床支持具で上床を支持する。受台を断熱材に差し込むことで断熱材上に容易に二重床を形成でき、下床には受台の脚部の先端のみが接触するので、接触面積が小さく、断熱効果はほとんど低減しない。【選択図】      図１
2008248628.tif 000002
【特許請求の範囲】
【請求項１】
板状本体の下面に３本以上の柱状の脚部を突設したことを特徴とする床支持具の受台。
【請求項２】
前記脚部の下端が先細り状に形成されている請求項１に記載の床支持具の受台。
【請求項３】
断熱材を表面に施工した下床上に、板状本体の下面に３本以上の柱状の脚部を突設した受台を、前記脚部が前記断熱材を差し貫き、前記板状本体の表面が前記断熱材の表面に露出するように設置し、前記板状本体の上に床支持具を載置し、該床支持具によって上床を支持せしめることを特徴とする二重床。
【請求項４】
前記脚部の下端が先細り状に形成されている請求項３に記載の二重床。
【発明の詳細な説明】
【技術分野】
【０００１】
本発明は、表面に断熱材を施工したコンクリートスラブなどの下床の上に上床を施工する二重床、及び、上床を支持する床支持具を載せるための受台に関する。
【背景技術】
【０００２】
従来から、コンクリートスラブなどの下床の上に床支持具を配置し、その上にパーティクルボードなどの上床ベース板を貼付する二重床が知られている（特許文献１〜６参照）。
【特許文献１】特開昭５７−１１９０５５号公報
【特許文献２】特開平１０−２４５９６４号公報
【特許文献３】特開２００１−９８７４７号公報
【特許文献４】特開２００５−９７９０２号公報
【特許文献５】実開昭５６−１５５０４２号公報
【特許文献６】実開昭５６−１７４６３６号公報
【０００３】
この種の二重床において、結露防止のために、外壁内面、及び外壁内面から連なる下床の表面に断熱材を施工している。下床表面に施工する断熱材の幅は６０〜９０ｃｍが適当であるとされている。断熱材は、発泡ウレタンが主流で、現場にて１５〜２５ｍｍ±５ｍｍの厚さで発泡材を吹き付け、数時間放置することで程良い硬さに硬化する。
【０００４】
図５、６は従来の二重床の施工例の説明図である。コンクリート製の下壁１２全面、及びこれに連続する下床９（コンクリートスラブ）に発泡ウレタンの断熱材１０が施工される。床における断熱材の幅は壁際から６０〜９０ｃｍ程度である。下床９の上には床支持具５、６が設置され、上床ベース板８が床支持具５、及び床支持具６に取り付けた際根太７により支持される。上床ベース板８の上には任意の床仕上材（図示せず）が施工される。下壁１２には木材などの壁下地材１３が接着剤、コンクリート釘などで取り付けられ、これに壁材１１が取り付けられる。
【０００５】
図５は、下床９の表面に断熱材１０を施工した後、床支持具を設置する位置の断熱材を剥ぎ取り、その剥ぎ取った部分に床支持具５、６を設置したところを示している。この後、断熱材を剥ぎ取ったところに発泡ウレタンを充填して補修を行う（図示せず）。
【０００６】
図６は、予め床支持具を設置する位置に木材などの床下地材１５を接着剤、コンクリート釘などで取り付け、その後下床９表面の床下地材１５以外の部分に断熱材１０を施工する。断熱材が硬化後、床支持具５、６を床下地材１５の上に設置して二重床を形成する。
【発明の開示】
【発明が解決しようとする課題】
【０００７】
図５の従来の施工法は、床支持具を設置する位置の断熱材を剥ぎ取り、床支持具５、６を設置した後に、その剥ぎ取った部分に発泡材を吹き付けて補修を行わなければならないので、作業性がいちじるしく悪い。また、下床９の上に床支持具５、６の防振ゴムが接触するので、断熱効果が低減するという問題もある。
【０００８】
図６の従来の施工法は、予め床支持具を設置する位置に木材などの床下地材１５を取り付けなければならず、また、その後床下地材１５以外の部分に断熱材を施工しなければならないので、床下地材を取り付ける手間がかかり、また、断熱材１０を床下地材１５に付着しないように施工する作業も煩雑である。断熱材が床下地材１５の上に付着した場合は、これを清掃しなければならない。さらに、下床９の上に床下地材１５が接触するので、断熱効果が低減するという問題もある。
【０００９】
本発明は、このような断熱材を施工した下床上に形成する二重床において、作業性を改善し、さらに、断熱効果が低減しないようにすることを目的としてなされたものである。
【課題を解決するための手段】
【００１０】
（請求項１）
本発明は、板状本体の下面に３本以上の柱状の脚部を突設したことを特徴とする床支持具の受台である。
【００１１】
（請求項２）
また本発明は、前記脚部の下端が先細り状に形成されている請求項１に記載の床支持具の受台である。
【００１２】
（請求項３）
また本発明は、断熱材を表面に施工した下床上に、板状本体の下面に３本以上の柱状の脚部を突設した受台を、前記脚部が前記断熱材を差し貫き、前記板状本体の表面が前記断熱材の表面に露出するように設置し、前記板状本体の上に床支持具を載置し、該床支持具によって上床を支持せしめることを特徴とする二重床である。
【００１３】
（請求項４）
また本発明は、前記脚部の下端が先細り状に形成されている請求項３に記載の二重床である。
【発明の効果】
【００１４】
本発明の二重床は、図３、４に示すように、受台１を、その脚部３が断熱材１０を差し貫くように、断熱材１０に差し込めばよく、その板状本体２の上に床支持具を載せるので、二重床の施工がきわめて容易となる。また、脚部３の下端を先細り状に形成すると、断熱材に差し込む作業がさらに容易となり、下床との接触面積も小さくなる。下床９には、受台１の脚部３の先端のみが接触するので、接触面積が小さく、断熱効果はほとんど低減しない。
【発明を実施するための最良の形態】
【００１５】
受台は、プラスチック製、又は金属製とすることが望ましく、特に、機械的特性に優れたエンジニアリングプラスチックで一体成形することが好ましい。受台の脚部の本数は３本以上であれば何本でもよいが、３本で十分である。脚部の高さは、断熱材の厚さと同じか、それよりもやや高いことが好ましい。例えば、断熱材の厚さが２５ｍｍのときは、脚部の高さは２５〜３５ｍｍ程度が好ましい。受台の板状本体の形状は、円形、四辺形など自由である。板状本体の大きさ、厚みは、強度が十分であれば特に制限されない。
【実施例】
【００１６】
図１は実施例の受台１の斜視図、図２は受台１の断面図である。受台１はナイロン樹脂で一体成形され、円形の板状本体２の下面に３本の柱状の脚部３が等間隔で突設されている。板状本体２の直径は４５ｍｍ、厚さは４ｍｍである。脚部３の高さは３０ｍｍ、脚部の太さは基端部で７ｍｍ、先細りとなっている下端部で２ｍｍとなっている。板状本体２の上面の脚部３の中心位置には、成形の便のための小孔４が形成されている。
【００１７】
図３は受台１の施工状態の断面説明図、図４は実施例の二重床の断面説明図である。下床９の表面には断熱材１０が厚さ約２５ｍｍで吹き付けられる。断熱材が硬化した後、受台１を、その脚部３が断熱材１０を差し貫くように、断熱材１０に差し込む。その後、受台の板状本体の上に床支持具５、６を載置し、さらにその上に上床を施工する。
【００１８】
本発明において、床支持具は上床を下床から浮かせて支持できるものであればよく、特に限定されないが、脚部に防振ゴムを有するものを用いることが望ましい。防振ゴムによって上床の騒音が吸収され、遮音性能が向上するからである。図４は防振ゴムを有する床支持具の例を示している。床支持具５は単足の床支持具の例で、防振ゴム５ａ、ボルト５ｂ、受金具５ｃ、受板５ｄからなる。受板５ｄは木質の板でボルト孔を有し、下面に受金具５ｃが固定されている。受金具５ｃは雌ねじ孔を有し、これにボルト５ｂが螺着される、防振ゴム５ａにはボルト５ｂの下端が挿入されている。ボルト５ｂの上面には直径方向の溝があり、上からドライバーで回転して高さ調整が可能である。床支持具６は、特に際根太７（壁際に設置する根太）を介して上床を支持するもので、防振ゴム６ａ、ボルト６ｂ、根太受部６ｃからなる。際根太７を支持する根太受部６ｃはプラスチック成形品で、雌ねじ孔を有する。際根太７は木質の長尺材で、ボルト孔を有する。根太受部６ｃの雌ねじ孔にボルト６ｂが螺着され、防振ゴム６ａにはボルト６ｂの下端が挿入されている。ボルト６ｂの上面には直径方向の溝があり、際根太の上からドライバーで回転して高さ調整が可能である。
【００１９】
図４において、コンクリート製の外壁である下壁１２の内面全面と、これに続くコンクリートスラブである下床９の幅９０ｃｍに発泡ウレタンの断熱材１０を吹き付けた。なお、下壁には予め壁下地１３を取り付けてある。断熱材が硬化した後、壁下地材１３に壁材１１（プラスターボードなど）をビス止めして壁を形成した。壁材１１には、上床の振動が壁に伝わるのを防止するゴムパッキン１４を貼付した。断熱材を施工した下床９の床支持具５、６を設置する所定の位置に受台１を断熱材１０に差し込んで設置した。受台１の上には、床支持具５、６を載置した。下床９の断熱材を施工しない部分には、直接床支持具５、６を設置した。床支持具６には際根太７を取り付けた。際根太７及び受板５ｄの上に上床ベース板８（パーティクルボードなど）を貼付した。上床ベース板８の上にはフローリングなどの任意の床仕上材（図示せず）を施工し、上床を形成することができる。また、上床ベース板８の上に更にパーティクルボードを貼りその上に床仕上材を施工すると、遮音性能に優れた二重床とすることができる。
【００２０】
受台１について、圧縮試験を行った結果、２００ｋｇ重以上の荷重に耐え、十分な強度を有することが確認された。
【図面の簡単な説明】
【００２１】
【図１】実施例の受台１の斜視図である。
【図２】受台１の断面図である。
【図３】受台１の施工状態の断面説明図である。
【図４】実施例の二重床の断面説明図である。
【図５】従来の二重床の断面説明図である。
【図６】従来の二重床の断面説明図である。
【符号の説明】
【００２２】
１  受台
２  板状本体
３  脚部
４  小孔
５  床支持具
５ａ  防振ゴム
５ｂ  ボルト
５ｃ  受金具
５ｄ  受板
６  床支持具
６ａ  防振ゴム
６ｂ  ボルト
６ｃ  根太受部
７  際根太
８  上床ベース板
９  下床
１０  断熱材
１１  壁材
１２  下壁
１３  壁下地材
１４  ゴムパッキン
１５  床下地材
【図１】
2008248628.tif 000003
【図２】
2008248628.tif 000004
【図３】
2008248628.tif 000005
【図４】
2008248628.tif 000006
【図５】
2008248628.tif 000007
【図６】
2008248628.tif 000008